(57)【要約】      （修正有）【課題】照明光を使って伝送されたデータを受信する装置の利便性を向上させる。【解決手段】電子機器は、受信光に基づいて電力を発電する発電部と、発電部の出力に基づいて、自装置を識別する識別情報を設定する設定部と、設定部が設定した識別情報に対応する情報を、発電部の出力の変動に基づいて受信する受信部とを備える。【選択図】図３
2014023097.tif 000002
【特許請求の範囲】
【請求項１】
光に基づいて電力を発電する発電部と、
前記発電部の出力に基づいて、自装置を識別する識別情報を設定する設定部と、
前記設定部が設定した前記識別情報に対応する情報を、前記発電部の出力の変動に基づいて受信する受信部と
を備えることを特徴とする電子機器。
【請求項２】
前記発電部には、第１面に配置されている第１の発電部と、前記第１面とは異なる第２面に配置されている第２の発電部とが含まれ、
前記設定部は、前記第２の発電部の出力に基づいて、前記識別情報を設定する
ことを特徴とする請求項１に記載の電子機器。
【請求項３】
前記設定部は、
前記第２の発電部の出力が、互いに異なる複数のレベルのうちのいずれのレベルであるかを判定し、前記第２の発電部における当該判定結果に基づいて前記識別情報を設定する
ことを特徴とする請求項２に記載の電子機器。
【請求項４】
第１の基準電位と第２の基準電位とが供給されるとともに、前記第２の基準電位に前記発電部の出力電圧を加算した電位を示す出力電位と前記第１の基準電位とを出力する接続部を備え、
前記設定部は、
前記接続部に供給された前記第１の基準電位と前記出力電位との電位差に基づいて、前記識別情報を設定する
ことを特徴とする請求項１に記載の電子機器。
【請求項５】
前記発電部は、色素増感型の太陽電池であることを特徴とする請求項４に記載の電子機器。
【請求項６】
前記発電部の出力が所定の出力電圧になるように、前記発電部に接続する負荷を制御する負荷制御部を備える
ことを特徴とする請求項１から請求項５のいずれか一項に記載の電子機器。
【請求項７】
前記受信部は、
前記発電部の出力が変動する割合に応じて、前記識別情報に対応する情報であるか否かを判定し、前記識別情報に対応する情報であると判定した場合に、当該情報を受信する
ことを特徴とする請求項１から請求項６のいずれか一項に記載の電子機器。
【請求項８】
前記受信部が受信した前記情報に基づく表示情報を表示する表示部を備える
ことを特徴とする請求項１から請求項７のいずれか一項に記載の電子機器。
【請求項９】
前記表示部は、
前記受信部が受信した前記情報が前記識別情報を表示させる指令情報である場合に、前記識別情報を示す前記表示情報を表示する
ことを特徴とする請求項８に記載の電子機器。
【請求項１０】
照射する照明光に基づいて情報を送信する送信装置と、前記送信装置が送信した前記情報を受信する複数の電子機器とを備えるシステムであって、
前記送信装置は、
前記照明光を照射する照明部と、
送信する前記情報に応じて前記照明光を変調する変調部と
を備え、
前記複数の電子機器のそれぞれは、
前記照明部から照射された前記照明光に基づいて電力を発電する発電部と、
前記発電部の出力に基づいて、自装置を識別する識別情報を設定する設定部と、
前記設定部が設定した前記識別情報に対応する前記情報を、前記発電部の出力の変動に基づいて受信する受信部と
を備える
ことを特徴とするシステム。
【発明の詳細な説明】
【技術分野】
【０００１】
本発明は、電子機器、及びシステムに関する。
【背景技術】
【０００２】
近年、電力を供給する手段を用いて、通信を行う技術が知られている。例えば、特許文献１に記載の技術では、送信装置が照明部から照射する照明光により電子機器に電力を供給するとともに、照明光により電子機器に情報の送信を行っている。
【先行技術文献】
【特許文献】
【０００３】
【特許文献１】特開２００８−２２７９４４号公報
【発明の概要】
【発明が解決しようとする課題】
【０００４】
しかしながら、特許文献１に記載の技術では、複数の電子機器に電力とともに情報を送信する場合に、複数の機器のそれぞれに異なる情報を送信することが困難であるため、利便性が悪い場合があった。例えば、特許文献１に記載の技術を用いて、ギャラリーのようなスペースに複数の表示装置を上述の電子機器として設置するような場合に、複数の表示装置に対して全て同じ画像を同一のタイミングで表示させることになる。
このように、特許文献１に記載の技術では、利便性が悪いという問題があった。
【０００５】
本発明は、上記問題を解決すべくなされたもので、その目的は、利便性を向上させることができる電子機器、及びシステムを提供することにある。
【課題を解決するための手段】
【０００６】
上記問題を解決するために、本発明の一態様は、光に基づいて電力を発電する発電部と、前記発電部の出力に基づいて、自装置を識別する識別情報を設定する設定部と、前記設定部が設定した前記識別情報に対応する情報を、前記発電部の出力の変動に基づいて受信する受信部とを備えることを特徴とする電子機器である。
【０００７】
また、本発明の一態様は、照射する照明光に基づいて情報を送信する送信装置と、前記送信装置が送信した前記情報を受信する複数の電子機器とを備えるシステムであって、前記送信装置は、前記照明光を照射する照明部と、送信する前記情報に応じて前記照明光を変調する変調部とを備え、前記複数の電子機器のそれぞれは、前記照明部から照射された前記照明光に基づいて電力を発電する発電部と、前記発電部の出力に基づいて、自装置を識別する識別情報を設定する設定部と、前記設定部が設定した前記識別情報に対応する前記情報を、前記発電部の出力の変動に基づいて受信する受信部とを備えることを特徴とするシステムである。
【発明の効果】
【０００８】
本発明によれば、利便性を向上させることができる。
【図面の簡単な説明】
【０００９】
【図１】第１の実施形態による表示システムの一例を示す模式図である。
【図２】第１の実施形態における表示装置の表示部と太陽電池との配置の一例を示す模式図である。
【図３】第１の実施形態における表示システムの一例を示すブロック図である。
【図４】第１の実施形態における光量変調の一例を示す図である。
【図５】第１の実施形態における表示装置の別の配置例を示す図である。
【図６】第２の実施形態における表示システムの一例を示すブロック図である。
【図７】第２の実施形態における表示装置の変形例を示すブロック図である。
【発明を実施するための形態】
【００１０】
以下、本発明の一実施形態による電子機器及びシステムについて図面を参照して説明する。本実施形態では、電子機器及びシステムが、一例として、表示装置、及び表示システムである場合について説明する。
【００１１】
［第１の実施形態］
図１は、第１の実施形態による表示システム１００の一例を示す模式図である。
この図において、表示システム１００は、送信装置２と、複数（例えば、３台）の表示装置１とを備えている。
【００１２】
送信装置２は、表示装置１に照明光を照射する照明部２１を備え、照明部２１が照射する照明光により表示装置１に電力を供給するとともに、この照明光に基づいて情報を表示装置１に送信する。ここで、送信装置２が表示装置１に送信する情報には、例えば、表示装置１に表示する画像を指定（変更）する情報や、表示装置１の各種操作を行うコマンド（指令情報）などが含まれる。送信装置２は、複数の表示装置１のそれぞれに対して、異なる情報を送信することも可能である。
図１において、送信装置２は、例えば、ＰＣ（パーソナルコンピュータ）を用いた構成として説明する。なお、送信装置２の構成の詳細については、後述する。
【００１３】
照明部２１は、例えば、ＬＥＤ（Light Emitting Diode）ライトであり、照明光を照射する発光部である。
【００１４】
表示装置１（電子機器）は、送信装置２が送信した情報を受信する受信装置であり、例えば、送信された情報に基づく画像を表示する。本実施形態では、表示システム１００は、同一の構成の表示装置１を３台備えており、３台の表示装置１のそれぞれを、表示装置１−１、表示装置１−２、表示装置１−３として説明する。なお、表示装置１−１〜１−３の任意の表示装置を示す場合、又は特に区別しない場合には、表示装置１と称して説明する。
また、本実施形態では、３台の表示装置１が横一列に並べられて配置されており、それぞれの表示装置１には、後述するＩＤ設定部４０（図３）によって、自装置を識別するＩＤ（識別情報）が設定されている。図１に示す例では、表示装置１−１にＩＤ＝１が設定され、表示装置１−２にＩＤ＝２が設定され、表示装置１−３にＩＤ＝３が設定される。
【００１５】
図２は、本実施形態における表示装置１の表示部６０と太陽電池１０との配置の一例を示す模式図である。図２（ａ）は、表示装置１を正面から見た正面図であり、図２（ｂ）は、表示装置１の側面に配置された太陽電池１０の配置例を示す図である。なお、表示装置１の正面は、図２（ａ）における紙面前方から見える表示装置１の面のことである。
図２において、表示装置１は、太陽電池１０と表示部６０とを備えている。
太陽電池１０（発電部）は、例えば、結晶シリコン太陽電池やアモルファスシリコン太陽電池であり、送信装置２の照明部２１から照射された照明光に基づいて、表示装置１を動作させる電力を発電する。ここで、太陽電池１０には、例えば、照明部２１に対向する表面Ｆ１(第１面)に配置されているメインの太陽電池パネル１１（第１の発電部）と、表面Ｆ１とは異なる複数の側面Ｆ２（第２面）にそれぞれ配置されている太陽電池パネル１２（第２の発電部）とが含まれる。
【００１６】
太陽電池１０の太陽電池パネル１１は、図２（ａ）に示すように、表示装置１の正面の面（表面Ｆ１）における表示部６０の外周部分に配置されている。ここで、太陽電池パネル１１を備える表面Ｆ１は、表示部６０の表示面を備える表示装置の表面である。
また、図２（ｂ）に示すように、複数（例、４個）の太陽電池パネル１２（１２１〜１２４）は、表示装置１の側面Ｆ２の外周側に配置されている。ここで、表示装置１の側面Ｆ２は、複数の側面Ｆ２１〜Ｆ２４を含んでいる。太陽電池パネル１２１は、正面から見て右側の側面Ｆ２１の外周側に配置され、太陽電池パネル１２２は、正面から見て左側の側面Ｆ２２の外周側に配置されている。また、太陽電池パネル１２３は、正面から見て上側の側面Ｆ２３の外周側に配置され、太陽電池パネル１２４は、正面から見て下側の側面Ｆ２４の外周側に配置されている。
【００１７】
次に、図３を参照して、本実施形態における送信装置２及び表示装置１の構成を詳細に説明する。
図３は、本実施形態における表示システム１００の一例を示すブロック図である。
この図において、表示システム１００は、送信装置２と、表示装置１とを備えている。なお、この図において、複数の表示装置１のうちの１台を図示して説明する。
【００１８】
まず、送信装置２の構成について説明する。
送信装置２は、照明部２１、送信データ生成部２２、周辺光量センサ２３、変調部２４、及び照明駆動部２５を備えている。
送信データ生成部２２は、例えば、ユーザの表示装置１に対する操作指示に基づいて、表示装置１に送信する送信データ（情報）及び表示装置１のＩＤ（識別情報）を生成する。送信データ生成部２２は、生成した送信データ及び表示装置１のＩＤを変調部２４に出力する。
【００１９】
周辺光量センサ２３（検出部）は、例えば、フォトダイオードなどの受光素子であり、送信装置２の周辺の光量（環境光の光量）を示す周辺光量を検出する。周辺光量センサ２３は、検出した周辺光量を変調部２４に送信する。
【００２０】
変調部２４は、送信する情報（送信データ）に応じて照明光を変調する。変調部２４は、送信データ生成部２２が生成した送信データを、例えば、ＰＷＭ（Pulse Width Modulation）により変調して、照明部２１を発光させる発光パターンを示す発光パターン信号を生成する。なお、変調部２４は、ＩＤに応じて、ＰＷＭの振幅を変更することにより、送信データの送信先を指定する。変調部２４は、例えば、周辺光量センサ２３が検出した周辺光量に基づいて、ＩＤに応じたＰＷＭの振幅の大きさ（範囲）を適切に設定し、ＩＤに対応した送信データをＰＷＭにより変調する。変調部２４は、生成した発光パターン信号を照明駆動部２５に出力する。すなわち、変調部２４は、周辺光量センサ２３が検出した周辺光量が、ＩＤに応じて異なる割合によって変動するように照明光を変調する。
【００２１】
照明駆動部２５は、変調部２４が出力した発光パターン信号に基づいて、照明部２１を発光させる駆動信号を生成し、生成した駆動信号を照明部２１に出力する。
照明部２１は、照明駆動部２５から出力された駆動信号に応じて、光量を変更して照明光を表示装置１に照射する。ここで、照明部２１が照射する照明光は、表示装置１への電力の供給に利用されるとともに、照明光の光量変動により上述した送信データの送信に利用される。照明部２１は、例えば、後述する図４の波形Ｗ１に示すような光量を変動（変化）させた照明光を表示装置１に照射する。
【００２２】
次に、表示装置１の構成について説明する。
表示装置１は、太陽電池１０、受信部３０、ＩＤ設定部４０、電力制御部５０、蓄電部５１、電源供給部５２、表示部６０、及び表示制御部６１を備えている。
【００２３】
電力制御部５０は、自装置を動作させる電力として太陽電池１０の出力を使用するための各種制御、及び、太陽電池１０の出力から自装置のＩＤを設定するための制御を行う。
例えば、電力制御部５０は、太陽電池１０の出力を所定の電圧に変換して、蓄電部５１に供給することにより蓄電部５１に電力を充電する。また、例えば、電力制御部５０は、変換した所定の電圧による電力、又は、蓄電部５１に蓄電されている電力を電源として、電源供給部５２に供給する。
また、例えば、電力制御部５０は、太陽電池１０に含まれる複数の太陽電池パネル１２（１２１〜１２４）の出力電圧をＩＤ設定部４０に出力する。
【００２４】
蓄電部５１は、例えば、二次電池など蓄電池であり、大容量のコンデンサであってもよい。蓄電部５１は、太陽電池１０が発電した電力を蓄電（充電）し、表示装置１を動作させる際に電力を供給する。
【００２５】
ＩＤ設定部４０（設定部）は、太陽電池１０の出力に基づいて、自装置を識別するＩＤ（識別情報）を設定する。ＩＤ設定部４０は、例えば、側面Ｆ２１〜Ｆ２４に配置された複数の太陽電池パネル１２（１２１〜１２４）の出力（例えば、出力電圧）に基づいて、ＩＤを設定する。
【００２６】
例えば、図１の示すように、３台の表示装置１（１−１〜１−３）が間隔を密に横一列に設置される場合、互いに隣り合う側面に対応する太陽電池パネル１２は影となる。つまり、互いに隣り合う側面に対応する太陽電池パネル１２には、周辺光や送信装置２からの照明光は、殆ど入光されない。このように、３台の表示装置１（１−１〜１−３）は、複数の太陽電池パネル１２１〜１２４のうちの少なくとも１つが、互いに対向するように配置されている。そのため、表示装置１−１では、４つの太陽電池パネル１２１〜１２４のうちの側面Ｆ２１の太陽電池パネル１２１の出力電圧が低下する。また、表示装置１−２では、４つの太陽電池パネル１２１〜１２４のうちの側面Ｆ２１の太陽電池パネル１２１、及び側面Ｆ２２の太陽電池パネル１２２の出力電圧が低下する。また、表示装置１−１では、４つの太陽電池パネル１２１〜１２４のうちの側面Ｆ２２の太陽電池パネル１２２の出力電圧が低下する。
【００２７】
ここで、ＩＤ設定部４０は、例えば、４つの太陽電池パネル１２１〜１２４のそれぞれの出力電圧が予め定められた閾値以下に低下した場合に、“１”とし、それぞれの出力電圧が閾値を超える場合に“０”として、４つの太陽電池パネル１２１〜１２４を４ビットの情報にコード化する。ＩＤ設定部４０は、このコード化した４ビットの情報に基づいて、自装置のＩＤを設定する。例えば、４ビットの情報を太陽電池パネル１２４、太陽電池パネル１２３、太陽電池パネル１２２、及び太陽電池パネル１２１の順番によりコード化した場合、上述の表示装置１−１は、４ビットの情報が“０００１”となる。そのため、ＩＤ設定部４０は、ＩＤ＝１と判定する。
また、上述の表示装置１−２は、４ビットの情報が“００１０”となる。そのため、ＩＤ設定部４０は、ＩＤ＝２と判定する。また、上述の表示装置１−３は、４ビットの情報が“００１１”となる。そのため、ＩＤ設定部４０は、ＩＤ＝３と判定する。
【００２８】
このように、ＩＤ設定部４０は、複数の太陽電池パネル１２の出力（出力電圧）に基づいて、自装置のＩＤを設定する。ＩＤ設定部４０は、設定したＩＤを受信部３０の信号復調部３２に出力する。
【００２９】
受信部３０は、照明光の光量変化に応じた太陽電池１０の出力（例えば、出力電圧）の変動（変化）に基づいて、ＩＤ設定部４０が設定したＩＤに対応する情報を受信する。ここで、太陽電池１０が、ＩＤに応じた振幅の大きさ（範囲）により光量変化（光量変動）する照明光を受光するため、受信部３０は、太陽電池１０の出力電圧が変動する割合に応じて、自装置のＩＤに対応する情報であるか否かを判定し、自装置のＩＤに対応する情報であると判定した場合に、当該情報を受信する。
また、受信部３０は、波形分離部３１と、信号復調部３２とを備えている。
【００３０】
波形分離部３１は、太陽電池１０から出力された出力電圧の変動からＰＷＭの伝送信号であるＡＣ（交流）成分を分離する。波形分離部３１は、分離したＡＣ成分を信号復調部３２に出力する。
【００３１】
信号復調部３２は、波形分離部３１によって分離されたＡＣ成分の電圧変動の振幅に基づいて、ＰＷＭ信号による情報が自装置に宛てた情報であるか否かを判定する。例えば、送信装置２による光量変動が、ＩＤ＝３に対応する場合に２００Ｌｘ（ルクス）〜２５０Ｌｘであり、ＩＤ＝２に対応する場合に１５０Ｌｘ〜２００Ｌｘであり、ＩＤ＝１に対応する場合に１００Ｌｘ〜１５０Ｌｘである。このような場合に、信号復調部３２は、ＡＣ成分の電圧変動の振幅により、自装置のＩＤに対応する情報であるか否かを判定する。なお、信号復調部３２は、太陽電池１０の出力のＤＣ電圧成分を基準に、電圧変動の振幅の割合に基づいて、自装置のＩＤに対応する情報であるか否かを判定してもよい。こうすることにより、信号復調部３２は、周辺光の変化や送信装置２と表示装置１との距離による影響を低減させて、正確に自装置のＩＤに対応する情報であるか否かを判定することができる。
信号復調部３２は、自装置のＩＤに対応する情報であると判定した場合に、当該ＰＷＭ信号より、自装置のＩＤに対応する情報を取得する。信号復調部３２は、取得した自装置のＩＤに対応する情報を表示制御部６１に出力する。
【００３２】
表示制御部６１は、信号復調部３２によって取得した情報（送信装置２からの送信データ）に基づいて、表示部６０を制御する。例えば、表示制御部６１は、信号復調部３２によって取得した情報に基づいて、表示部６０に表示する表示情報（例えば、画像、文字など）を変更する制御を行う。例えば、表示制御部６１は、複数の画像を記憶する記憶部（不図示）を備えており、信号復調部３２によって取得した情報に基づいて、記憶部が記憶する複数の画像のうちの１つ、又は複数を表示情報として選択し、選択した表示情報（画像）を表示部６０に表示させる。
【００３３】
また、信号復調部３２によって取得した情報が表示装置１の各種操作を行うコマンド（指令情報）である場合に、表示制御部６１は、コマンド（指令情報）に対応する表示の制御を表示部６０に対して行う。例えば、表示制御部６１は、信号復調部３２によって取得した情報（受信部３０が受信した情報）がＩＤを表示させる指令情報である場合に、ＩＤを示す表示情報（例えば、文字、２次元コード、記号など）を表示部６０に表示させる。この場合、表示部６０に表示されたＩＤを示す表示情報を確認することにより、複数の表示装置１のＩＤと物理位置との対応をユーザ又は送信装置２が知ることができる。
【００３４】
表示部６０は、受信部３０が受信した情報に基づく表示情報を表示する。表示部６０は、例えば、表示情報の書き換え時（変更時）のみ電力が必要であり、表示を維持する電力を必要としない電子ペーパによる表示パネルを備えている。なお、電子ペーパは、例えば、電気泳動ディスプレイ（Electrophoretic Display：EPD）でもよいし、コレステリック液晶でもよい。表示部６０に電子ペーパを用いることにより、表示装置１は、消費電力を低減することができる。
また、表示部６０は、表示制御部６１の制御に基づいて、表示情報を表示する。例えば、表示部６０は、上述した信号復調部３２によって取得した情報（受信部３０が受信した情報）がＩＤを表示させる指令情報である場合に、表示制御部６１の制御に基づいて、ＩＤを示す表示情報（例えば、文字、２次元コード、記号など）を表示する。
【００３５】
次に、本実施形態における表示システム１００の動作について説明する。
送信装置２は、図４に示すような光量変調した照明光を照明部２１から照射する。
【００３６】
図４は、本実施形態における光量変調の一例を示す図である。
図４において、グラフは、送信装置２が照射する照明光の光量変動（光量変化）を示している。このグラフの縦軸は、光量［Ｌｘ］を示し、横軸は時間を示している。
また、波形Ｗ１は、送信装置２が照射する照明光の光量変動（光量変化）の一例を示している。
【００３７】
図４に示す一例では、送信装置２は、時刻Ｔ１から時刻Ｔ２までの間、照明光を表示装置１に対して照射しており、表示装置１に電力を供給するとともに、照明光の光量変動により送信データを表示装置１に送信している。
【００３８】
具体的に、送信装置２の送信データ生成部２２は、例えば、ユーザの表示装置１に対する操作指示に基づいて、表示装置１に送信する送信データ（情報）、及び情報を送信する表示装置１に対応するＩＤを生成する。送信データ生成部２２は、生成した送信データ及び表示装置１のＩＤを変調部２４に出力する。
【００３９】
次に、変調部２４は、送信データ生成部２２が生成した送信データを、例えば、ＰＷＭにより変調して、照明部２１を発光させる発光パターンを示す発光パターン信号を生成する。変調部２４は、送信データに応じて、例えば、パルス幅ＰＷ１を変更する。
また、変調部２４は、ＩＤに応じて、ＰＷＭの振幅（Ｌ２１〜Ｌ２３）を変更することにより、送信データの送信先を指定する。例えば、変調部２４は、ＩＤ＝１である場合にＰＷＭの振幅を振幅Ｌ２１により変調し、ＩＤ＝２である場合にＰＷＭの振幅を振幅Ｌ２２により変調し、ＩＤ＝３である場合にＰＷＭの振幅を振幅Ｌ２３により変調する。
【００４０】
また、変調部２４は、例えば、周辺光量センサ２３が検出した周辺光量に基づいて、ＩＤに応じたＰＷＭの振幅の大きさ（Ｌ２１〜Ｌ２３）を適切に設定し、ＩＤに対応した送信データをＰＷＭにより変調する。変調部２４は、生成した発光パターン信号を照明駆動部２５に出力する。
【００４１】
次に、照明駆動部２５は、変調部２４が出力した発光パターン信号に基づいて、照明部２１を発光させる駆動信号を生成し、生成した駆動信号を照明部２１に出力する。次に、照明部２１は、照明駆動部２５から出力された駆動信号に応じて、光量を変更して波形Ｗ１に示すような照明光を表示装置１に照射する。
【００４２】
なお、図４において、振幅Ｌ１の光量は、周辺光量（環境光量）と照明部２１から照射される照明光との加算値を示しており、表示装置１の太陽電池１０の出力におけるＤＣ（直流）成分に対応する。また、光量変動の幅Ｌ２は、変調部２４による変調分（通信による光量変動分）を示し、表示装置１の太陽電池１０の出力におけるＡＣ成分に対応する。変調部２４は、この振幅Ｌ１の光量を基準に、ＡＣ成分に対応する各ＩＤの振幅Ｌ２１〜Ｌ２３の幅を設定する。仮に、送信装置２と表示装置１との相対的な距離が変化したとしても、表示装置１における上述のＤＣ成分を基準としたＡＣ成分の割合は、振幅Ｌ１に対する各ＩＤに対応する振幅Ｌ２１〜Ｌ２３の割合とほぼ等しくなる。そのため、変調部２４が、周辺光量センサ２３が検出した周辺光量に基づいて、ＩＤに応じたＰＷＭの振幅の大きさ（Ｌ２１〜Ｌ２３）を適切に設定することにより、送信装置２は、送信データにＩＤを送信ヘッダとして含めなくても正しいあて先（ＩＤ）に対応する表示装置１に送信データを送信することができる。
【００４３】
次に、表示装置１の太陽電池１０は、上述の波形Ｗ１に示すような光量変動に応じた出力電圧を出力する。
電力制御部５０は、太陽電池１０の出力を所定の電圧に変換して、蓄電部５１に供給することにより蓄電部５１に電力を充電する。また、例えば、電力制御部５０は、変換した所定の電圧による電力、又は、蓄電部５１に蓄電されている電力を電源として、電源供給部５２に供給する。
【００４４】
また、例えば、電力制御部５０は、太陽電池１０に含まれる複数の太陽電池パネル１２（１２１〜１２４）の出力電圧をＩＤ設定部４０に出力する。
ＩＤ設定部４０は、上述したように、側面Ｆ２１〜Ｆ２４に配置された複数の太陽電池パネル１２（１２１〜１２４）の出力（例えば、出力電圧）に基づいて、ＩＤを設定する。
【００４５】
次に、受信部３０の波形分離部３１は、太陽電池１０から出力された出力電圧の変動からＰＷＭの伝送信号であるＡＣ成分（図４の光量変動の幅Ｌ２に対応）を分離する。
次に、信号復調部３２は、波形分離部３１によって分離されたＡＣ成分の電圧変動の振幅（例えば、図４の振幅Ｌ２１〜Ｌ２３に対応）と、ＩＤ設定部４０が設定したＩＤとに基づいて、ＰＷＭ信号による情報が自装置に宛てた情報であるか否かを判定する。信号復調部３２は、ＰＷＭ信号による情報が自装置に宛てた情報であると判定した場合に、当該情報を取得する。
【００４６】
例えば、ＩＤ設定部４０によってＩＤ＝１が設定されている表示装置１−１において、信号復調部３２は、図４の振幅Ｌ２１に対応するパルスＰ１１〜Ｐ１３のパルス幅に基づいて情報を取得する。また、例えば、ＩＤ設定部４０によってＩＤ＝２が設定されている表示装置１−２において、信号復調部３２は、図４の振幅Ｌ２２に対応するパルスＰ２１〜Ｐ２３のパルス幅に基づいて情報を取得する。また、例えば、ＩＤ設定部４０によってＩＤ＝３が設定されている表示装置１−３において、信号復調部３２は、図４の振幅Ｌ２３に対応するパルスＰ３１〜Ｐ３３のパルス幅に基づいて情報を取得する。
【００４７】
表示制御部６１は、信号復調部３２によって取得した情報（送信装置２からの送信データ）に基づいて、表示部６０に表示情報を表示させる。すなわち、表示部６０は、送信装置２からの送信データに基づいて、表示情報を変更する。
【００４８】
以上説明したように、本実施形態における表示装置１は、太陽電池１０と、ＩＤ設定部４０と、受信部３０とを備えている。太陽電池１０は、光に基づいて電力を発電する。ＩＤ設定部４０は、太陽電池１０の出力に基づいて、自装置を識別するＩＤ（識別情報）を設定する。受信部３０は、ＩＤ設定部４０が設定したＩＤに対応する情報を太陽電池１０の出力の変動に基づいて受信する．
これにより、本実施形態における表示装置１は、自装置のＩＤを自動で設定することができるので、送信装置２が複数の表示装置１のそれぞれに異なる情報を送信することができる。そのため、本実施形態における表示装置１は、利便性を向上させることができる。なお、本実施形態における表示装置１は、ユーザがＩＤを設定するのではなく、自装置のＩＤを自動で設定することができるので、その点からも利便性を向上させることができる。
【００４９】
また、本実施形態では、太陽電池１０には、照明部２１に対向する表面Ｆ１（第１表面）に配置されている太陽電池パネル１１と、表面Ｆ１とは異なる側面Ｆ２（第２表面）にそれぞれ配置されている太陽電池パネル１２（１２１〜１２４）とが含まれている。ＩＤ設定部４０は、太陽電池パネル１２（１２１〜１２４）の出力に基づいて、ＩＤを設定する。
これにより、側面Ｆ２１〜Ｆ２４に設置された太陽電池パネル１２１〜１２４の出力電圧に基づいて、ＩＤ設定部４０は、自装置のＩＤを設定することができる。そのため、本実施形態における表示装置１は、簡易な手段により正確に自装置のＩＤを設定することができる。
【００５０】
また、本実施形態では、受信部３０は、太陽電池１０の出力が変動する割合に応じて、自装置のＩＤに対応する情報であるか否かを判定し、自装置のＩＤに対応する情報であると判定した場合に、当該情報を受信する。
これにより、本実施形態における表示装置１は、送信装置２からの送信データに送信先（あて先）を示す情報を含めなくても、正しく自装置あての送信データを受信することができる。そのため、送信装置２から表示装置１に送信する送信データ量を低減することができる。本実施形態のように太陽電池１０を用いた低速の通信速度によって情報を伝送するシステムである場合において、本実施形態における表示装置１は、有効通信量、有効通信速度を向上し、消費電力を低減させることによって、利便性を向上させることができる。
【００５１】
また、本実施形態における表示装置１は、受信部３０が受信した情報に基づく表示情報を表示する表示部６０を備える。
これにより、例えば、本実施形態における表示システム１００がギャラリーのようなスペースに複数の表示装置１を設置するような場合に、複数の表示装置１に対して異なる画像を同一のタイミングで表示させることが可能になる。そのため、表示装置１は、利便性を向上させることができる。
【００５２】
また、本実施形態では、表示部６０は、受信部３０が受信した情報がＩＤを表示させるコマンド（指令情報）である場合に、ＩＤを示す表示情報（例えば、２次元コードや文字など）を表示する。
これにより、表示部６０に表示されたＩＤを示す表示情報を確認することができるので、複数の表示装置１のＩＤと物理位置との対応をユーザ又は送信装置２が知ることができる。
【００５３】
また、本実施形態における表示システム１００は、照射する照明光に基づいて情報を送信する送信装置２と、送信装置２が送信した情報を受信する複数の表示装置１とを備えている。送信装置２は、照明光を照射する照明部２１と、送信する情報に応じて照明光を変調する変調部２４とを備えている。また、複数の表示装置１のそれぞれは、上述した太陽電池１０と、ＩＤ設定部４０と、受信部３０とを備えている。
これにより、本実施形態における表示システム１００は、送信装置２が複数の表示装置１のそれぞれに異なる情報を送信することができるので、表示装置１と同様に、利便性を向上させることができる。
【００５４】
また、本実施形態では、複数（例、３台）の表示装置１（１−１〜１−３）は、複数の太陽電池パネル１２（１２１〜１２４）のうちの少なくとも１つが、互いに対向するように配置されている。
これにより、複数の太陽電池パネル１２のうちの他の表示装置１と隣接する少なくとも１つの出力電力が低下するので、本実施形態における表示システム１００は、簡易な手段により、正確に自装置のＩＤを設定することができる。
【００５５】
次に、本実施形態における表示システム１００の変形例について説明する。
図５は、本実施形態における表示装置１の別の配置例を示す図である。
図５（ａ）は、連結用の連結ユニット７０を用いて４台の表示装置１を配置した場合の一例を示している。
図５（ａ）において、表示システム１００は、表示装置１−１〜１−４を備え、横一列に配置されている。ここで、４台の表示装置１のうちの表示装置１−３と表示装置１−４とは、連結ユニット７０を介して接続されている。
【００５６】
連結ユニット７０（導光部材）は、所定の透過率を有しており、隣接する表示装置１が配置されていない場合の例えば、５０％の光量が得られる。すなわち、太陽電池パネル１２（１２１〜１２４）は、連結ユニット７０によって、出力電圧に差異が生じる。ＩＤ設定部４０は、この連結ユニット７０によって生じる太陽電池パネル１２の出力電圧の差異に基づいて、自装置のＩＤを設定する。図５（ａ）に示す一例の場合、表示装置１−１〜１−４のそれぞれは、ＩＤ設定部４０が、ＩＤ＝１〜４のうちの１つを設定する。
このように、連結ユニット７０を用いて、表示装置１を接続することにより、本実施形態における表示システム１００は、表示装置１の接続数を増やすことができる。
【００５７】
また、図５（ｂ）は、本実施形態における表示システム１００において、透過率の異なる連結ユニット７０を用いて、さらに接続台数を増やした場合の一例を示している。
図５（ｂ）において、表示システム１００は、表示装置１−１〜１−４を備え、横一列に配置されている。ここで、５台の表示装置１はそれぞれ、透過率の異なる連結ユニット７０（７１〜７３）を介して接続されている。すなわち、連結ユニット７０には、所定の透過率の異なる複数種類の連結ユニット７１〜７３が含まれ、複数の表示装置１は、複数の表示装置１の配置に応じて、所定の透過率の異なる連結ユニット７０（７１〜７３）を介して接続されている。
【００５８】
連結ユニット７１は、例えば、隣接する表示装置１が配置されていない場合の２５％の光量が得られる透過率を有し、連結ユニット７２は、例えば、隣接する表示装置１が配置されていない場合の５０％の光量が得られる透過率を有している。また、連結ユニット７３は、例えば、隣接する表示装置１が配置されていない場合の７５％の光量が得られる透過率を有している。これにより、各太陽電池パネル１２は、連結ユニット７０の種類、連結ユニット７０の有無、及び隣接する表示装置１の有無に応じて、隣接する表示装置１が配置されていない場合の０％、２５％、５０％、７５％、及び１００％の出力電圧を出力する。
【００５９】
また、５台の表示装置１はそれぞれが備えるＩＤ設定部４０は、例えば、太陽電池パネル１１の出力を基準に、複数の太陽電池パネル１２のそれぞれの出力が、互いに異なる複数のレベルのうちのいずれのレベルであるかを判定し、複数の太陽電池パネル１２における当該判定結果に基づいてＩＤを設定する。
【００６０】
このように、所定の透過率の異なる複数種類の連結ユニット７０（７１〜７３）を用いることにより、表示システム１００は、図１に示す配置に比べて、さらに多くの表示装置１を備える表示システムを、簡易な手段により構築することが可能である。
【００６１】
次に、本発明の第２の実施形態について図面を参照して説明する。
［第２の実施形態］
図６は、本実施形態における表示システム１００ａの一例を示すブロック図である。
この図において、送信装置２は、第１の実施形態と同様であるので、図示を省略し、その説明も省略する。なお、本実施形態における照明部２１は、面発光体である例えば、有機ＥＬ（Electro Luminescence）パネルである。
また、この図において、図３と同一の構成については同一の符号を付し、その説明を省略する。
【００６２】
図６において、表示システム１００ａは、複数の表示装置１ａを備えている。
本樹脂形態では、例えば、表示システム１００は、同一の構成の表示装置１ａを２台備えており、２台の表示装置１ａのそれぞれを、表示装置１ａ−１、表示装置１ａ−２として説明する。なお、表示装置１ａ−１及び表示装置１ａ−２のうちの任意の表示装置を示す場合、又は特に区別しない場合には、表示装置１ａと称して説明する。
【００６３】
図６において、表示装置１ａは、色素増感太陽電池１０ａ、受信部３０ａ、ＩＤデコーダ４０ａ、電力制御部５０ａ、蓄電部５１、電源供給部５２、表示部６０、表示制御部６１、接続部８０、及び絶縁部８１を備えている。
本実施形態では、第１の実施形態のように側面Ｆ２に太陽電池パネル１２を搭載せずに、接続部８０を用いてＩＤデコーダ４０ａが自装置のＩＤ（識別情報）を設定する点が第１の実施形態と異なる。
【００６４】
色素増感太陽電池１０ａ（発電部）は、例えば、色素増感型の太陽電池であり、光量変動による出力電圧の変動が、他の方式の太陽電池（例、シリコン太陽電池）より少ない太陽電池である。色素増感太陽電池１０ａは、絶縁部８１に出力電圧を供給するとともに、波形分離部３１ａに電力を出力する。
【００６５】
絶縁部８１は、例えば、アイソレーションアンプであり、色素増感太陽電池１０ａの出力電圧（ＤＣ成分）を色素増感太陽電池１０ａと絶縁した状態により、接続部８０に供給する。絶縁部８１は、後述する基準電位（第２の基準電位）が供給される第１端子と、出力電圧を供給する第２端子とを備えている。表示装置１ａ−１において、第１の端子はノードＮ１２に接続され、第２の端子はノードＮ１３に接続されている。また、表示装置１ａ−２において、第１の端子はノードＮ２２に接続され、第２の端子はノードＮ２３に接続されている。
【００６６】
接続部８０は、例えば、表示装置１ａ同士を接続する接続端子（不図示）を備える接続回路である。接続部８０は、グランド電位（第１の基準電位）と隣接する表示装置１ａから供給される基準電位（第２の基準電位）とが供給されるとともに、供給された基準電位に色素増感太陽電池１０ａの出力電圧を加算した電位を示す出力電位とグランド電位とを出力する。接続部８０は、例えば、供給された基準電位を絶縁部８１の第１端子に接続し、絶縁部８１の第２端子から供給された出力電圧を直列に接続することにより、上述の加算した電位を生成する。また、接続部８０は、上述のグランド電位と出力電位とをＩＤデコーダ４０ａに供給する。
【００６７】
なお、複数の表示装置１ａには、グランド電位と供給された基準電位として等しい電位が接続部８０に供給される表示装置１ａ―１（第１の表示装置）と、供給された基準電位として他の表示装置１ａ（例えば、表示装置１ａ―１）が出力する出力電位が接続部８０に供給される表示装置１ａ−２（第２の表示装置）とが含まれる。ここでは、表示装置１ａ―１において、グランド電位のノードＮ１１と、絶縁部８１の第１端子が接続されているノードＮ１２とは、終端回路３に接続され、終端回路３内でノードＮ１１とノードＮ１２とは、接続（短絡）されている。
【００６８】
また、表示装置１ａ―２（第２の表示装置）において、グランド電位のノードＮ２１は、表示装置１ａ―１のグランド電位であるノードＮ１１に接続されている。また、表示装置１ａ―２において、絶縁部８１の第１端子が接続されているノードＮ１２は、表示装置１ａ―１の出力電位であるノードＮ１３に接続されている。なお、表示装置１ａ―２の接続部８０の出力側に、他の表示装置１ａが接続されない場合には、オープン状態、又は、高抵抗の接点保護カバーなどが接続されてもよい。
【００６９】
ＩＤデコーダ４０ａは、接続部８０に供給されたグランド電位（例、表示装置１ａ―２のノードＮ２１の電位）と出力電位（例、表示装置１ａ―２のノードＮ２３の電位）との電位差に基づいて、自装置のＩＤを設定する。なお、色素増感太陽電池１０ａにおいては、上述したように光量により出力電圧の差違はほとんど発生しない。このため、色素増感太陽電池１０ａから絶縁された絶縁部８１の端子（第１端子及び第２端子）を各表示装置１ａの間で接続部８０により直列に接続すれば、ＩＤデコーダ４０ａの入力として現れる電位差は、以下の式（１）により示される。
【００７０】
電位差＝（表示装置１ａの１台における色素増感太陽電池１０ａの出力電圧）
×（終端回路３から自装置までの接続台数）  ・・・  （１）
【００７１】
すなわち、ＩＤデコーダ４０ａは、上述のグランド電位と出力電位との電位差として、例えば、予め定められた色素増感太陽電池１０ａの出力電圧の何倍の電位差が得られるかを検出することにより、自装置のＩＤを設定する。
【００７２】
例えば、表示装置１ａ―１（第１の表示装置）において、色素増感太陽電池１０ａの出力電圧を電圧Ｖ０とした場合に、ノードＮ１１とノードＮ１３との電位差Ｖ１は、電圧Ｖ０と等しい値となる。そのため、表示装置１ａ―１において、ＩＤデコーダ４０ａは、自装置のＩＤ＝１に設定する。
また、例えば、表示装置１ａ―２（第２の表示装置）において、色素増感太陽電池１０ａの出力電圧を電圧Ｖ０とした場合に、ノードＮ２１とノードＮ２３との電位差Ｖ２は、電圧Ｖ０の２倍の値となる。そのため、表示装置１ａ―２において、ＩＤデコーダ４０ａは、自装置のＩＤ＝２に設定する。
【００７３】
受信部３０ａは、照明光の光量変化に応じた色素増感太陽電池１０ａの出力（例えば、出力電流）の変動（変化）に基づいて、ＩＤ設定部４０が設定したＩＤに対応する情報を受信する。ここで、色素増感太陽電池１０ａが、ＩＤに応じた振幅の大きさにより光量変化（光量変動）する照明光を受光するため、受信部３０ａは、太陽電池１０の出力電流が変動する割合に応じて、自装置のＩＤに対応する情報であるか否かを判定し、自装置のＩＤに対応する情報であると判定した場合に、当該情報を受信する。
【００７４】
また、受信部３０ａは、波形分離部３１ａと、信号復調部３２ａとを備えている。
なお、波形分離部３１ａ及び信号復調部３２ａは、色素増感太陽電池１０ａの出力電流に対して処理を行う点を除いて、第１の実施形態における波形分離部３１及び信号復調部３２と同様である。
【００７５】
電力制御部５０ａは、自装置を動作させる電力として色素増感太陽電池１０ａの出力を使用するための各種制御を行う。本実施形態では、表示装置１ａが側面Ｆ２に太陽電池パネル１２を備えないため、電力制御部５０ａは、自装置のＩＤを設定するための制御を備えない点が第１の実施形態における電力制御部５０と異なる。電力制御部５０ａは、その他の機能は第１の実施形態における電力制御部５０と同様であるので、その説明を省略する。
【００７６】
以上説明したように、本実施形態における表示装置１ａは、接続部８０とＩＤデコーダ４０ａとを備えている。接続部８０は、グランド電位（第１の基準電位）と基準電位（第２の基準電位）とが供給されるとともに、基準電位に色素増感太陽電池１０ａの出力電圧を加算した電位を示す出力電位とグランド電位とを出力する。ＩＤデコーダ４０ａは、接続部８０に供給されたグランド電位と出力電位との電位差に基づいて、自装置のＩＤを設定する。
これにより、本実施形態における表示装置１ａは、自装置のＩＤを自動で設定することができるので、送信装置２が複数の表示装置１ａのそれぞれに異なる情報を送信することができる。そのため、本実施形態における表示装置１ａは、第１の実施形態と同様に、利便性を向上させることができる。
【００７７】
また、本実施形態では、送信装置２の照明部２１が、有機ＥＬパネルである。有機ＥＬパネルは、パネル上の発行量の変動がＬＥＤライトを用いた場合に比べて小さいので、ＩＤデコーダ４０ａは、色素増感太陽電池１０ａの出力電圧から正確に自装置のＩＤを設定することができる。
【００７８】
また、本実施形態では、発電デバイス（太陽電池）として色素増感型の太陽電池である色素増感太陽電池１０ａを用いている。色素増感型の太陽電池は、光量変動による出力電圧の変動が、他の方式の太陽電池（例、シリコン太陽電池）より少ないので、本実施形態における表示装置１ａは、上述した接続部８０及びＩＤデコーダ４０ａを用いて、簡易な手段により正確に自装置のＩＤを設定することができる。
【００７９】
また、本実施形態における表示システム１００ａでは、複数の表示装置１ａのそれぞれは、上述の接続部８０を備え、ＩＤデコーダ４０ａは、接続部８０に供給されたグランド電位と出力電位との電位差に基づいて、自装置のＩＤを設定する。複数の表示装置１ａは、接続部を介して接続されている。
これにより、本実施形態における表示システム１００ａでは、上述した表示装置１ａと同様に、利便性を向上させることができる。
【００８０】
また、本実施形態では、複数の表示装置１ａには、終端回路３によってグランド電位と基準電位として等しい電位が接続部８０に供給される表示装置１ａ―１（第１の電子機器）と、基準電位として他の表示装置１ａが出力する出力電位が接続部８０に供給される表示装置１ａ―２（第２の電子機器）とが含まれる。
これにより、本実施形態における表示システム１００ａは、簡易な手段により正確に自装置のＩＤを設定することができる。
【００８１】
なお、本実施形態は、色素増感型の太陽電池の他に、光量変動により出力電圧の変動が大きい、例えば、シリコン太陽電池などにも適用することができる。
図７は、シリコン太陽電池などの太陽電池１０と上述の接続部８０とを用いて、ＩＤデコーダ４０ａが、自装置のＩＤを設定する場合の一例を示している。
図７において、表示装置１ｂは、太陽電池１０、受信部３０、ＩＤデコーダ４０ａ、電力制御部５０ｂ、蓄電部５１、電源供給部５２、表示部６０、表示制御部６１、接続部８０、及び絶縁部８１を備えている。
【００８２】
この図において、送信装置２は、第１及び第２の実施形態と同様であるので、図示を省略し、その説明も省略する。また、この図において、図３又は図６と同一の構成については同一の符号を付し、その説明を省略する。
【００８３】
本実施形態では、光量変動に対する太陽電池１０の出力電圧の変動を低減するために、電力制御部５０ｂが、負荷制御部５３を備えている。
負荷制御部５３は、太陽電池１０の出力が所定の出力電圧になるように、太陽電池１０に接続する負荷を制御する。これにより、太陽電池１０の出力が光量変動に対して所定の出力電圧に制御され、太陽電池１０の出力電圧が絶縁部８１に供給される。
【００８４】
ＩＤデコーダ４０ａは、グランド電位（ノードＮ２１の電位）と出力電位（ノードＮ２３の電位）との電位差として、例えば、上述の太陽電池１０の出所定の出力電圧の何倍の電位差が得られるかを検出することにより、自装置のＩＤを設定する。
【００８５】
このように、本実施形態における表示装置１ｂは、太陽電池１０の出力が所定の出力電圧になるように、太陽電池１０に接続する負荷を制御する負荷制御部５３を備えている。これにより、本実施形態における表示装置１ｂは、光量変動により出力電圧の変動が大きい、例えば、シリコン太陽電池などにも、上述の表示装置１ａと同様の簡易な手段により、正確に自装置のＩＤを設定することができる。
【００８６】
なお、本発明は、上記の各実施形態に限定されるものではなく、本発明の趣旨を逸脱しない範囲で変更可能である。
例えば、上記の各実施形態において、電子機器の一例として、表示部６０を備える表示装置１（１ａ，１ｂ）に適用する形態を説明したが、これに限定されるものではない。例えば、電子機器は、表示部６０の代わりに、音声などの音情報を出力する出力部を備える形態であってもよいし、この出力部と上述の表示部６０とを両方備える形態であってもよい。
【００８７】
また、上記の各実施形態において、送信データの変調方式として、ＰＷＭを用いる形態を説明したが、他の変調方式を用いる形態であってもよい。例えば、送信データの変調方式として、ＦＭ（Frequency Modulation）変調を用いる形態であってもよい。
また、上記の各実施形態において、送信装置２は、ＩＤ情報を送信ヘッダとして送信データに含めない形態を説明したが、ＩＤ情報を送信ヘッダとして送信データに含める形態であってもよい。
【００８８】
また、上記の各実施形態において、複数の表示装置１（１ａ，１ｂ）は、一例として横一例に配置する形態を説明したが、これに限定されるものではなく、縦方向に並べて配置する形態であってもよいし、縦方向、及び横方向の両方に並べて配置する形態であってもよい。
また、上記の各実施形態において、表示装置１（１ａ，１ｂ）は、蓄電部５１を備える形態を説明したが、蓄電部５１を備えずに、太陽電池１０（色素増感太陽電池１０ａ）の出力電力のみにより動作する形態であってもよい。
【００８９】
また、上記の各実施形態において、表示部６０として、電気泳動ディスプレイ（EPD）やコレステリック液晶などの電子ペーパを用いる形態を説明したが、これに限定されるものではなく、液晶ディスプレイや有機ＥＬディスプレイなどの表示デバイスを用いる形態であってもよい。
【００９０】
なお、上記の各実施形態のように、電子ペーパを用いる場合、電子ペーパは自発光デバイスでないため、表示画像の視認にはある程度の周辺光量が必要となる。また、電子ペーパは、表示の維持には電力を必要とせず、表示の変更の際に電力を必要とする。このため、周辺光量が一定量、一定時間入射された場合に、表示制御部６１は、画像の変更を行うことで、太陽電池１０（色素増感太陽電池１０ａ）により得た電力を効率的に使用するような動作を行う。この画像を変更する閾値に所定の範囲を設定し、例えば、表示装置１（１ａ，１ｂ）が、ＩＤによって異なる閾値により、画像を変更する周期を変化させる。これにより、複数の表示装置１（１ａ，１ｂ）が、同一のタイミングにより、画像変更動作中となって表示画像が視認できない状態となることを低減することができる。
【００９１】
また、上記の各実施形態において、送信装置２が、照明光の光量変動の幅をＩＤに応じて変更することにより、複数の表示装置１（１ａ，１ｂ）に異なる情報を送信する形態を説明したが、全ての表示装置１（１ａ，１ｂ）に同時に同じ情報を送信するブロードキャストに対応させてもよい。この場合、表示システム１００（１００ａ）は、光量変動によるブレーク指令のルールを予め定めておいて、ブレーク指令後に、全ての表示装置１（１ａ，１ｂ）を同期させて、このブロードキャストに対応させてもよい。
また、表示システム１００（１００ａ）は、複数の表示装置１（１ａ，１ｂ）により１つの画像情報を表示するような用途に適用してもよい。
また、上記の各実施形態において、表示部６０に表示制御部６１を含めない形態を説明したが、表示制御部６１を含めた構成を表示部６０とする形態であってもよい。
【００９２】
また、上記の第１の実施形態において、表示装置１の電力制御部５０が、上述の負荷制御部５３を備える形態であってもよい。
また、上記の第１の実施形態において、複数の側面Ｆ２１〜Ｆ２４それぞれに太陽電池パネル１２を備える形態を説明したが、側面Ｆ２に少なくとも１つの太陽電池パネル１２が配置されていればよい。また、１つの側面Ｆ２に複数の太陽電池パネル１２が配置される形態であってもよい。
【００９３】
また、上記の第２の実施形態において、表示装置１ｂが、光量変動に対する太陽電池１０の出力電圧の変動を低減するために負荷制御部５３を備える形態を説明したが、これに限定されるものではない。例えば、各表示装置１ｂの太陽電池１０の出力電圧が同程度である場合に、表示装置１ｂは、負荷制御部５３を備えずに、ＩＤデコーダ４０ａは、自装置の太陽電池１０における出力電圧の何倍の電位差が得られるかを検出することにより、自装置のＩＤを設定してもよい。これにより、表示装置１ｂは、構成を簡略化しつつ、自装置のＩＤを設定することができる。
【００９４】
上述の送信装置２及び表示装置１（１ａ，１ｂ）は内部に、コンピュータシステムを有している。そして、上述した送信装置２及び表示装置１（１ａ，１ｂ）の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００９５】
１，１−１，１−２，１−３，１−４，１ａ，１ａ−１，１ａ−２，１ｂ…表示装置、２…送信装置、１０…太陽電池、１０ａ…色素増感太陽電池、１１，１２，１２１，１２２，１２３，１２４…太陽電池パネル、２１…照明部、２３…周辺光量センサ、２４…変調部、３０，３０ａ…受信部、４０…ＩＤ設定部、４０ａ…ＩＤデコーダ、５３…負荷制御部、６０…表示部、７０，７１，７２，７３…連結ユニット、８０…接続部、１００，１００ａ…表示システム、Ｆ１…表面、Ｆ２，Ｆ２１，Ｆ２２，Ｆ２３，Ｆ２４…側面
【図１】
2014023097.tif 000003
【図２】
2014023097.tif 000004
【図３】
2014023097.tif 000005
【図４】
2014023097.tif 000006
【図５】
2014023097.tif 000007
【図６】
2014023097.tif 000008
【図７】
2014023097.tif 000009